(57)【特許請求の範囲】
【請求項１】
スカートガードに固定される固定部と、
前記固定部に設けられ、欄干パネルにおける長手方向端部であって下階側端部に下階側から当たる滑落防止部と
を備えているエスカレーターパネル滑落防止装置。
【請求項２】
前記固定部は、前記スカートガードの一方の面である第１面に接触する第１接触部と、前記第１接触部に離接する方向に移動可能に設けられ、前記スカートガードの他方の面である第２面に接触する第２接触部とを有している請求項１に記載のエスカレーターパネル滑落防止装置。
【請求項３】
前記第１接触部および前記第２接触部は、滑り止め部材から構成されている請求項２に記載のエスカレーターパネル滑落防止装置。
【請求項４】
前記滑落防止部は、前記欄干パネルにおける長手方向端部であって下階側端部を厚さ方向に挟む欄干パネル挟み部を有している請求項１から請求項３までの何れか一項に記載のエスカレーターパネル滑落防止装置。
【請求項５】
前記滑落防止部は、前記スカートガードの上端部を厚さ方向に挟むスカートガード挟み部を有している請求項１から請求項４までの何れか一項に記載のエスカレーターパネル滑落防止装置。
【請求項６】
スカートガードに固定される固定部と、
前記固定部に設けられ、欄干パネルにおける長手方向端部であって下階側端部に当たる滑落防止部と
を備え、
前記固定部は、前記スカートガードの一方の面である第１面に接触する第１接触部と、前記第１接触部に離接する方向に移動可能に設けられ、前記スカートガードの他方の面である第２面に接触する第２接触部とを有しているエスカレーターパネル滑落防止装置。
【請求項７】
スカートガードに固定される固定部と、
前記固定部に設けられ、欄干パネルにおける長手方向端部であって下階側端部に当たる滑落防止部と
を備え、
前記滑落防止部は、前記スカートガードの上端部を厚さ方向に挟むスカートガード挟み部を有しているエスカレーターパネル滑落防止装置。
【発明の詳細な説明】
【技術分野】
【０００１】
この発明は、欄干パネルがスカートガードに沿って滑落することを防止するエスカレーターパネル滑落防止装置に関する。
【背景技術】
【０００２】
従来、主枠の長手方向に並べられた複数の欄干パネルと、それぞれの欄干パネルを支持するアングルとを備えたエスカレーターにおける欄干パネルの点検方法であって、複数の欄干パネルの中から１つの欄干パネルが取り外されて、取り外された欄干パネルを点検する欄干パネルの点検方法が知られている（例えば、特許文献１参照）。
【先行技術文献】
【特許文献】
【０００３】
【特許文献１】特開２００５−２４７５７３号公報
【発明の概要】
【発明が解決しようとする課題】
【０００４】
しかしながら、複数の欄干パネルの中から１つの欄干パネルが取り外されることによって複数の欄干パネルには開口部が形成され、この開口部よりも上階側に配置されている欄干パネルは、アングルに支持された状態で主枠の長手方向に沿って滑落するおそれがあるという問題点があった。
【０００５】
この発明は、欄干パネルが滑落することを防止することができるエスカレーターパネル滑落防止装置を提供するものである。
【課題を解決するための手段】
【０００６】
この発明に係るエスカレーターパネル滑落防止装置は、スカートガードに固定される固定部と、固定部に設けられ、欄干パネルにおける長手方向端部であって下階側端部に下階側から当たる滑落防止部とを備えている。
【発明の効果】
【０００７】
この発明に係るエスカレーターパネル滑落防止装置によれば、スカートガードに固定される固定部と、固定部に設けられ、欄干パネルにおける長手方向端部であって下階側端部に当たる滑落防止部とを備えているので、複数の欄干パネルに形成された開口部よりも上階側に配置されている欄干パネルが滑落することを防止することができる。
【図面の簡単な説明】
【０００８】
【図１】この発明の実施の形態１に係るエスカレーターパネル滑落防止装置を示す正面図である。
【図２】図１のエスカレーターパネル滑落防止装置を示す平面図である。
【図３】図１のエスカレーターパネル滑落防止装置がエスカレーターに取り付けられた状態を示す斜視図である。
【発明を実施するための形態】
【０００９】
実施の形態１．
図１はこの発明の実施の形態１に係るエスカレーターパネル滑落防止装置を示す正面図、図２は図１のエスカレーターパネル滑落防止装置を示す平面図、図３は図１のエスカレーターパネル滑落防止装置がエスカレーターに取り付けられた状態を示す斜視図である。図において、エスカレーターパネル滑落防止装置は、固定部１と、固定部１に設けられた滑落防止部２とを備えている。
【００１０】
固定部１は、スカートガード３に固定される。固定部１は、スカートガード３の一方の面である第１面３１に接触する第１接触部１１と、第１接触部１１に離接する方向に移動可能に設けられ、スカートガード３の他方の面である第２面３２に接触する第２接触部１２とを有している。第１接触部１１および第２接触部１２は、滑り止め部材から構成されている。滑り止め部材としては、例えば、ゴム、吸盤などが挙げられる。
【００１１】
また、固定部１は、第１接触部１１に固定された第１固定片１３と、第２接触部１２が固定された第２固定片１４と、Ｕ字形状に形成され第１固定片１３が固定された腕部１５と、腕部１５に設けられ、第２固定片１４が固定された進退部１６とをさらに有している。
【００１２】
腕部１５は、第１固定片１３が固定された第１腕片１５１と、進退部１６が取り付けられた第２腕片１５２と、第１腕片１５１および第２腕片１５２に接続された円柱形状の中間部１５３とを有している。第１腕片１５１および第２腕片１５２は、互いに対向するように配置されている。第２腕片１５２には、図示しないねじ孔が形成されている。第２腕片１５２のねじ孔は、第１腕片１５１および第２腕片１５２が互いに対向する方向に延びるように配置されている。中間部１５３は、滑落防止部２に取り付けられている。中間部１５３は、第１腕片１５１および第２腕片１５２が互いに対向する方向に延びるように配置されている。中間部１５３は、滑落防止部２に対して、中間部１５３の周方向に回動可能となっている。なお、中間部１５３は、滑落防止部２に対して固定されてもよい。
【００１３】
進退部１６は、進退部１６は、蝶ねじから構成されている。進退部１６は、第２腕片１５２に挿入され先端部に第２固定片１４が固定されたねじ部１６１と、ねじ部１６１の基端部に固定された羽部１６２とを有している。進退部１６は、羽部１６２が周方向に回転することによって、ねじ部１６１が第２腕片１５２に対してねじ孔の方向に移動する。羽部１６２の回転方向を変えることによって、進退部１６は、ねじ部１６１の先端部が第１腕片１５１に離接する方向に移動する。これにより、第２接触部１２は、第１接触部１１に離接する方向に移動する。
【００１４】
滑落防止部２は、欄干パネル４の長手方向端部であって下階側端部に当たるように配置される。欄干パネル４の長手方向端部であって下階側端部とは、欄干パネル４を上方から視た場合に、欄干パネル４の長手方向両端部の中の下階側の端部である。滑落防止部２は、欄干パネル４の長手方向端部であって下階側端部を厚さ方向に挟む欄干パネル挟み部２１を有している。欄干パネル挟み部２１が挟む欄干パネル４は、複数の欄干パネル４の中から１つの欄干パネル４が取り外されることによって複数の欄干パネル４に形成された開口部４１よりも上階側に配置されている欄干パネル４である。
【００１５】
欄干パネル挟み部２１は、Ｕ字形状に形成された挟み部本体２１１と、挟み部本体２１１の内側に設けられ、欄干パネル４に接触する弾性部材２１２とを有している。弾性部材２１２が欄干パネル４に接触するので、欄干パネル挟み部２１が欄干パネル４を厚さ方向に挟む場合に、挟まれた欄干パネル４に損傷が発生することが抑制される。
【００１６】
また、滑落防止部２は、スカートガード３の上端部を厚さ方向に挟むスカートガード挟み部２２を有している。スカートガード挟み部２２は、Ｕ字形状に形成されている。なお、滑落防止部２は、スカートガード３に接触する弾性部材を有してもよい。これにより、スカートガード挟み部２２がスカートガード３を厚さ方向に挟む場合に、挟まれたスカートガード３に損傷が発生することが抑制される。なお、滑落防止部２は、スカートガード挟み部２２を有していなくてもよい。
【００１７】
次に、エスカレーターパネル滑落防止装置を用いて、欄干パネル４を点検する方法について説明する。まず、複数の欄干パネル４の中から点検する欄干パネル４を取り外す。これにより、複数の欄干パネル４には、開口部４１が形成される。
【００１８】
その後、開口部４１よりも上階側に配置されている欄干パネル４の長手方向端部であって下階側端部に滑落防止部２を接触させながら、開口部４１よりも下方に配置されているスカートガード３に固定部１を固定する。これにより、開口部４１よりも上階側に配置された欄干パネル４がスカートガード３に沿って滑落することが防止される。
【００１９】
その後、取り外された欄干パネル４を点検する。欄干パネル４の点検が終了した後、固定部１をスカートガード３から取り外し、滑落防止部２を欄干パネル４から離す。その後、点検が終了した欄干パネル４を元の位置に設置する。以上により、欄干パネル４の点検方法が終了する。
【００２０】
以上説明したように、この発明の実施の形態１に係るエスカレーターパネル滑落防止装置によれば、スカートガード３に固定される固定部１と、固定部１に設けられ、欄干パネル４における長手方向端部であって下階側端部に当たる滑落防止部２とを備えているので、複数の欄干パネル４に形成された開口部４１よりも上階側に配置されている欄干パネル４が滑落することを防止することができる。
【００２１】
また、固定部１は、スカートガード３の第１面３１に接触する第１接触部１１と、第１接触部１１に離接する方向に移動可能に設けられ、スカートガード３の第２面３２に接触する第２接触部１２とを有しているので、固定部１をスカートガード３に容易に固定させることができ、また、スカートガード３の厚さ方向の寸法が異なる種類のエスカレーターに対しても、欄干パネル４が滑落することを防止することができる。
【００２２】
また、第１接触部１１および第２接触部１２は、滑り止め部材から構成されているので、スカートガード３の第１面３１または第２面３２にシリコン、油などが付着している場合であっても、固定部１をスカートガード３により確実に固定することができる。
【００２３】
また、滑落防止部２は、欄干パネル４の長手方向端部を厚さ方向に挟む欄干パネル挟み部２１を有しているので、滑落防止部２に対して欄干パネル４が厚さ方向にずれることを防止することができる。その結果、滑落防止部２による欄干パネル４の滑落の防止をより確実にすることができる。
【００２４】
また、滑落防止部２は、スカートガード３の上端部を厚さ方向に挟むスカートガード挟み部２２を有しているので、スカートガード３に対して滑落防止部２が厚さ方向にずれることを防止することができる。その結果、滑落防止部２による欄干パネル４の滑落の防止をより確実にすることができる。
【００２５】
なお、上記実施の形態１では、固定部１がスカートガード３に固定される構成について説明したが、固定部が踏段に固定される構成であってもよい。この場合、固定部は、踏段の上面に形成された溝に挿入されるピンを有してもよい。
【符号の説明】
【００２６】
１  固定部、２  滑落防止部、３  スカートガード、４  欄干パネル、１１  第１接触部、１２  第２接触部、１３  第１固定片、１４  第２固定片、１５  腕部、１６  進退部、２１  欄干パネル挟み部、２２  スカートガード挟み部、３１  第１面、３２  第２面、４１  開口部、１５１  第１腕片、１５２  第２腕片、１５３  中間部、１６１  ねじ部、１６２  羽部、２１１  挟み部本体、２１２  弾性部材。
【図１】
0006703350.tif 000002
【図２】
0006703350.tif 000003
【図３】
0006703350.tif 000004